(57)【要約】【課題】開封は容易でありながら、第三者による不正開封が行われることを防止して親展性を保障できる封緘ラベルを提供する。【解決手段】封緘ラベル１０は、一方の面に粘着剤層１５が形成された内部支持シート１３と、この内部支持シート１３の他方の面に剥離可能でかつ再接着不能に積層された外部支持シート１２と、内部支持シート１３の粘着剤層１５に剥離可能に重ねられた剥離シート１６とを備える。封筒１を封緘する際に、剥離シート１６は補助スリット１９を境界として部分的に剥離されて、内部支持シート１３と剥離シート１６に形成された分断用スリット１４が封筒１のフラップ２と本体部３の境界に配される。外部支持シート１２を剥離することで分断用スリット１４のところでフラップ２と本体部３が分離して容易に開封され、外部支持シート１２と内部支持シート１３とが再接着不能となって不正開封を防ぐ。【選択図】図１０
2007206446.tif 000002
【特許請求の範囲】
【請求項１】
開口した本体部とこの開口を封口する封口部とを備えた封緘対象物を、前記本体部と前記封口部とにまたがって接着することで封緘する封緘ラベルであって、
一方の面に粘着剤層が形成された内部支持シートと、この内部支持シートの他方の面に剥離可能でかつ再接着不能に積層された外部支持シートと、前記内部支持シートの前記粘着剤層に剥離可能に重ねられた剥離シートとを備え、
前記内部支持シートおよび前記剥離シートにはそれらの両端部間を分断するための分断用スリットが互いに重なる位置に形成されており、
前記剥離シートには、これを少なくとも前記分断用スリットを挟んだ両端部において部分的に剥離することで前記粘着剤層を露出させるための補助スリットが形成されていることを特徴とする封緘ラベル。
【請求項２】
前記剥離シートの前記粘着剤層とは反対側の面には所要の表示を印刷可能にしてあり、前記剥離シート及び前記内部支持シートは前記外部支持シートを剥離した状態で前記表示を透視可能な透光性を有していることを特徴とする請求項１記載の封緘ラベル。
【請求項３】
前記外部支持シートの前記内部支持シートとは反対側の面には所要の表示を印刷可能にしてあることを特徴とする請求項１または請求項２に記載の封緘ラベル。
【請求項４】
前記補助スリットは前記内部支持シートの全周において前記粘着剤層を露出すべくループ状に形成されていることを特徴とする請求項１ないし請求項３のいずれかに記載の封緘ラベル。
【発明の詳細な説明】
【技術分野】
【０００１】
本発明は、封緘ラベルに関する。
【背景技術】
【０００２】
従来、開口した本体部と、開口を封口するための封口部とを備えた封筒、箱などの封緘対象物を封緘する封緘ラベルとしては、封緘紙の支持シートの片面に粘着剤層が形成され、この粘着剤層を覆うように剥離シートが剥離可能に重ねられたものが知られている（例えば、特許文献１を参照）。
【０００３】
この封緘ラベルを用いて封緘・開封する方法は、以下の通りである。まず、剥離シートを剥離して粘着剤層を露出させた封緘ラベルを、封口部（例えば、封筒であればフラップ、箱であれば蓋など）により開口を閉じた封緘対象物の封口部と本体部とにまたがるように貼付けて、封緘対象物を封緘する。この封緘対象物を開封する際には、封緘ラベルを剥がす等の手段によって封口部と本体部を分離させる。
【０００４】
上記の封緘ラベルによって封緘されたものを開封する際には、封緘ラベルが手で引っ張るなどの方法によっては容易に破れないので、ナイフやはさみなどを用いて封緘用ラベルや封筒・箱等を切断する必要があり、手間がかかるという問題がある。
【０００５】
このような問題点を解決するには、封緘ラベルと封緘対象物との接着力を弱くして、開封時に封緘ラベルを容易に剥がすことができるようにすることが考えられる。
しかし、封緘ラベルの接着力を弱くすると、配送時に封緘ラベルが剥がれて不用意に封口部が開いてしまって異物が混入したり、第三者が封緘ラベルを剥がして内部を盗み見た後に再び封緘ラベルを貼り付けるという不正を行うおそれがあり、安全性や親展性の保障の点で不十分となる。
【特許文献１】特許第２５４０５１５号公報
【発明の開示】
【発明が解決しようとする課題】
【０００６】
本発明は上記のような事情に基づいて完成されたものであって、開封は容易でありながら、第三者による不正開封が行われることを防止して親展性を保障できる封緘ラベルを提供することを目的とする。
【課題を解決するための手段】
【０００７】
上記の目的を達成するための手段として、請求項１の発明は、開口した本体部とこの開口を封口する封口部とを備えた封緘対象物を、前記本体部と前記封口部とにまたがって接着することで封緘する封緘ラベルであって、一方の面に粘着剤層が形成された内部支持シートと、この内部支持シートの他方の面に剥離可能でかつ再接着不能に積層された外部支持シートと、前記内部支持シートの前記粘着剤層に剥離可能に重ねられた剥離シートとを備え、前記内部支持シートおよび前記剥離シートにはそれらの両端部間を分断するための分断用スリットが互いに重なる位置に形成されており、前記剥離シートには、これを少なくとも前記分断用スリットを挟んだ両端部において部分的に剥離することで前記粘着剤層を露出させるための補助スリットが形成されていることを特徴とする封緘ラベルである。
【０００８】
請求項２の発明は請求項１に記載の封緘ラベルにおいて、前記剥離シートの前記粘着剤層とは反対側の面には所要の表示を印刷可能にしてあり、前記剥離シート及び前記内部支持シートは前記外部支持シートを剥離した状態で前記表示を透視可能な透光性を有しているところに特徴を有する。
【０００９】
請求項３の発明は請求項１または請求項２に記載の封緘ラベルにおいて、前記外部支持シートの前記内部支持シートとは反対側の面には所要の表示を印刷可能にしてあるところに特徴を有する。
【００１０】
請求項４の発明は請求項１ないし請求項３のいずれかに記載の封緘ラベルにおいて、前記補助スリットは前記内部支持シートの全周において前記粘着剤層を露出すべくループ状に形成されているところに特徴を有する。
【発明の効果】
【００１１】
＜請求項１の発明＞
請求項１に記載の発明に係る封緘ラベルで封緘対象物を封緘する際には、まず剥離シートを補助スリットが形成されているところから部分的に剥離して粘着剤層を露出させる。次に露出した粘着剤層が封緘対象物の本体部と封口部とにまたがるように配され、かつ内部支持シート、および剥離シートの互いに重なる位置に形成された分断用スリットが、封緘対象物の封口部と本体部の境界部分に配されるようにして封緘対象物を封緘する。封緘対象物を開封する際に外部支持シートを剥離すると、内部支持シートおよび剥離シートの互いに重なる位置に形成された分断用スリットが露出して、分断用スリットに沿って封口部と本体部とを分離することができるから、開封が容易である。
【００１２】
また、内部支持シートは外部支持シートに対して、剥離可能でかつ再接着不能に積層されているから、一旦外部支持シートを剥がして開封した後には、それを戻すことができず、開封の履歴が明らかに残る。
【００１３】
これらの結果、本発明によれば、開封が容易でありながらも、第三者による不正開封が行われることを防止して親展性を保障できる封緘ラベルを提供することができる。
【００１４】
＜請求項２の発明＞
剥離シートの粘着剤層とは反対側の面には所要の表示を印刷可能であるから、ユーザーが希望する文字、記号などを印刷することが可能となる。また、剥離シート及び内部支持シートは外部支持シートを剥離した状態で当該印刷された表示を透視可能な透光性を有しているから、封緘ラベルの開封とともに、剥離シートに印刷された文字などの内容を確認することができる。
【００１５】
＜請求項３の発明＞
外部支持シートの内部支持シートとは反対側の面には所要の表示を印刷可能にしてあるから、ユーザーが希望する文字、記号などを印刷することが可能である。
【００１６】
＜請求項４の発明＞
補助スリットは内部支持シートの全周において粘着剤層を露出すべくループ状に形成されているから、内部支持シートの全周に沿って露出した粘着剤層が封緘対象物に接着する。その結果、封緘時には封緘ラベルと封緘対象物との間にゴミなどの異物が入るのを防ぐことができる。
【発明を実施するための最良の形態】
【００１７】
＜実施形態１＞
本発明の実施形態１を図１ないし図１０によって説明する。
本実施形態の封緘ラベル１０は、図１に示すように、角に丸みのある略矩形状の形状をなし、基材シート１１の短辺方向に左右一対が並んで配置されるとともに基材シート１１の長辺方向に複数枚が整列状に並んで配置され、長辺方向に隣接するもの同士は間を空けることなく区画され、短辺方向に隣接するもの同士は、わずかな間隔をあけて区画されている。
【００１８】
本実施形態の封緘ラベル１０は、図３に示すように、上から、外部支持シート１２、下面に粘着剤層１５が形成された内部支持シート１３、剥離シート１６の順に積層されて形成されている。このうち、内部支持シート１３と剥離シート１６には、互いに重なる位置に分断用スリット１４が形成されている。この分断用スリット１４は、図１に示すように、内部支持シート１３および剥離シート１６の一対の長辺と平行に設けられ、上下一対の長辺を両端部として上下に分断するように形成されている。
【００１９】
封緘ラベル１０の一番上の層である外部支持シート１２は、白色不透明なＰＥＴ製のフィルムからなる。外部支持シート１２の上面は、例えばインクが染み込み可能なインクジェット塗工を施すことで、所要の表示が印刷可能となっており（請求項３に記載の発明）、具体的には「ここを剥がして下さい（開けると閉じられません）」という文字が印刷されている（図２を参照）。外部支持シート１２の材料としては、配送時に不用意に破損したり、開いたりしない程度であれば上記のものに限定されず、紙、合成紙、プラスチックフィルム（ポリエチレン、ポリプロピレンなどのポリオレフィン樹脂、ポリブチレンテレフタレートなどのポリエステル樹脂、発泡ポリエチレンテレフタレートなど）、布、金属箔など任意の材料を用いることができる。
【００２０】
内部支持シート１３は、例えば、対向する外部支持シート１２の下面に、熱可塑性樹脂を塗布し一定の熱をかけ溶融して積層圧着することにより、外部支持シート１２の下面に対し剥離可能でかつ再接着不能な状態（擬似接着状態）で積層されている。本実施形態において、この内部支持シート１３は、無色透明のＰＥＴからなり、上面を覆っている外部支持シート１２を剥離した状態で、下の層である剥離シート１６（後述する）に施された印刷表示が透視可能な透光性を有している（請求項２に記載の発明）。
【００２１】
内部支持シート１３の材料としては、外部支持シート１２の下面に対し擬似接着し、剥離シート１６の印刷表示が透視可能であれば、例えばポリエチレンなどのプラスチックフィルムや以下に例示するものを用いることもできる。
例えば、ポリエチレンまたはポリエチレンテレフタレートからなる層の上に更にポリエチレンからなる層を積層して二層とし、外部支持シート１２を剥離した際に、上に積層されているポリエチレンからなる層が共に剥離されるようなものを用いることもできる。また、外部支持シート１２に塗布した後、ＵＶ照射することで容易に外部支持シート１２と内部支持シート１３とを擬似接着できるという観点から、ウレタン変性アクリルオリゴマー、又はウレタン樹脂（又はポリエステル樹脂、エポキシ樹脂）などのプレポリマーを主体とした樹脂、シリコーン樹脂、フッ素樹脂などのＵＶ硬化型樹脂を使用することもできる。
【００２２】
内部支持シート１３の下面の全体には粘着剤層１５が形成され、この粘着剤層１５を形成する粘着剤としては、アクリル系の透明な粘着剤が使用されている。本発明においては、粘着剤層１５を形成する粘着剤としては、上記以外に一般に使用されている透明なもので、配送時に不用意に封緘対象物から剥がれず、開封時に外部支持シート１２を剥離しても、外部支持シート１２とともに封緘対象物から剥がれないような接着力を有するものを用いることもできる。
【００２３】
内部支持シート１３の下面には、剥離シート１６が剥離可能に設けられている。剥離シート１６はＰＥＴ製の透明フィルムからなり、その裏側の面は、例えば、剥離シート基材（図示せず）の一方の面にインクが染み込み可能なインクジェット塗工を施すことで印刷可能にしてあり、「開封済み」という文字からなる表示が印刷されている（図９参照）。剥離シート１６には、分断用スリット１４を間に挟んで、前記表示を取り囲むように補助スリット１９がループ状に形成されている。剥離シート１６の外周縁から補助スリット１９が形成されている部分は、封緘の際に剥離されることで、内部支持シート１３の粘着剤層１５が露出する剥離部１８とされる。
【００２４】
次に本実施形態の封緘ラベル１０の作用について説明する。
本実施形態の封緘ラベル１０を使用して、封筒１を封緘するには以下のようにする。まず、封筒１のフラップ２（封口部に相当する）を谷折りにして本体部３と重ね、開口を閉じる。
【００２５】
次に、図３に示すように、剥離部１８の剥離シート１６を剥離し、内部支持シート１３の全周において粘着剤層１５を露出させる。そして図４に示すように、粘着剤層１５を封筒１側に向けて、フラップ２と本体部３との境界の上に、分断用スリット１４が重なるように位置合わせをしてから、粘着剤層１５が露出している部分を上から押して封緘ラベル１０を封筒１に貼付する（図５を参照）。すると、封緘ラベル１０は、封筒１のフラップ２と本体部３とにまたがって貼付られるので、封筒１は開口が閉じられ、封緘された状態となる（図６を参照）。
【００２６】
封緘された封筒１を開封するには、図７に示すように、指で外部支持シート１２の隅を矢印の方向にめくりあげて内部支持シート１３から剥離する。すると、内部支持シート１３が露出して、透明な内部支持シート１３を通して剥離シート１６に印刷された「開封済み」の表示が目視でき（図８および図９を参照）、外部支持シート１２と内部支持シート１３とは再接着不能となる。
【００２７】
内部支持シート１３が露出すると、内部支持シート１３と剥離シート１６とに形成された分断用スリット１４のところで、封筒１のフラップ２に貼付された部分と本体部３に貼付された部分とが分離した状態となり、封筒１は開封された状態になる。この状態において、フラップ２側（図１０における左側）では、内部支持シート１３、粘着剤層１５および剥離シート１６の切断面とフラップ２の端面が揃っており、本体部３側（同図における右側）では、内部支持シート１３、粘着剤層１５および剥離シート１６の切断面が揃っている。
【００２８】
本実施形態によれば、外部支持シート１２を内部支持シート１３から剥がすだけで簡単に封筒１を開封できる。そして、開封の際には、内部支持シート１３、粘着剤層１５および剥離シート１６の切断面がそろっているから、従来の封緘ラベル１０により封緘したものを開封する際や、封筒１や袋を破いたり、封緘ラベル１０を無理に剥がす等して開封する場合と比べて、開封後の見た目が美しいという効果を奏する。
【００２９】
また、配送時に第三者が封緘ラベル１０を剥がして内部を盗み見ようとするには、まず外部支持シート１２を封緘ラベル１０から剥がす必要がある。本実施形態において、外部支持シート１２と内部支持シート１３とは擬似接着されているので、一旦外部支持シート１２を剥がして開封した後には、もとに戻すことができず、開封の履歴が明らかに残るから、不正開封に対して抑止力が働く。
【００３０】
さらに、外部支持シート１２の表面と剥離シート１６の裏面には所要の印刷が可能となっているから、ユーザーが希望する内容の文字などを印刷することが可能である。その上、内部支持シート１３と剥離シート１６は、外部支持シート１２を剥離した状態で剥離シート１６に印刷された表示を透視可能な透光性を有しているから、開封とともにその表示の内容を目視することができる。
【００３１】
加えて、内部支持シート１３の全周に沿って粘着剤層１５を露出すべく設けられた剥離シート１６の剥離部１８を剥離することで、封緘ラベル１０の全周が封筒１に貼り付けられ封筒１が封緘されるから、ゴミなどの異物が入るのを防ぐことができる。また、剥離シート１６の一部を剥離するだけで封筒を封緘できるから、剥離シートを全て剥がして使用する場合と比較して、ゴミを少なくすることができる。
【００３２】
＜参考例１＞
図１１は参考例１を示す。参考例１において、内部支持シート１３と剥離シート１６には分断用スリット１４が設けられていない点で実施形態１とは相違し、本発明には含まれない。また、外部支持シート１２としては、下に重ねられている剥離シート１６に印刷された文字などが目視できないようなもの、例えば、実施形態１で使用した白色のＰＥＴ製のフィルムの表面に地紋を印刷するなどの加工をしたものなどが用いられる。したがって、参考例１においては、外部支持シート１２を剥がして初めて、剥離シート１６に印刷した文字などが目視できるようになっている。
【００３３】
上記のような構成となっていることから、例えば、剥離シート１６に、特定の顧客にのみ伝達すべき情報（会員番号、パスワード、販売に伴う割引率、くじ等）やメッセージを印刷することで、封緘以外の目的で、封筒や箱などに貼り付けたり、カードに貼り付けたりして使用することもできる。
＜他の実施形態＞
【００３４】
本発明は上記記述及び図面によって説明した実施形態に限定されるものではなく、例えば次のような実施形態も本発明の技術的範囲に含まれる。
【００３５】
（１）上記実施形態においては、外部支持シートに「ここを剥がして下さい（開けると閉じられません）」という文字が印刷されているが、外部支持シートに印刷される文字などはこれに限定されない。例えば、封緘対象物に入れられている物に関する記載（商標、商号、商品名、賞味期限など）や、記号、模様などを印刷しても良いし、印刷を施さなくても良い。また、本発明において、外部支持シートは、下に重ねられた剥離シートに印刷された文字などが目視可能なものであってもよいし、目視できないような材質のものや加工が施されたものであってもよい。
【００３６】
（２）上記実施形態においては、封緘ラベルの形状は角の丸い略矩形状をなすものであったが、これに限定されず、例えば、円形、楕円形、正方形などであってもよい。
【００３７】
（３）上記実施形態の封緘ラベルはシート状をなす基材シートに多数並べられているものであったが、これに限定されず、例えばテープ状をなす基材上に一枚ずつ複数並べられたものであってもよい。
【００３８】
（４）上記実施形態においては、封緘対象物として封筒を用いたが、封筒に限らず、箱、瓶など種々のものに適用でき、種々の用途に用いることができる。例えば、ケーキなどの食品や薬の入った箱を封緘したり、処方薬の入った薬袋を封緘したり、食品や薬品の入った瓶に貼り付けて封緘してもよい。
【図面の簡単な説明】
【００３９】
【図１】実施形態１の外部支持シートに印刷を施す前の封緘ラベルの平面図
【図２】実施形態１の封緘ラベルの平面図
【図３】その断面図
【図４】封緘ラベルの分断用スリットをフラップと本体部の境界に位置決めしたときの断面図
【図５】封緘時の平面図
【図６】その断面図
【図７】開封時の斜視図
【図８】外部支持シートを剥がしたときの断面図
【図９】フラップを持ち上げるときの斜視図
【図１０】その断面図
【図１１】参考例１を示す断面図
【符号の説明】
【００４０】
１０…封緘ラベル
１２…外部支持シート
１３…内部支持シート
１４…分断用スリット
１５…粘着剤層
１６…剥離シート
１８…剥離部
【図１】
2007206446.tif 000003
【図２】
2007206446.tif 000004
【図３】
2007206446.tif 000005
【図４】
2007206446.tif 000006
【図５】
2007206446.tif 000007
【図６】
2007206446.tif 000008
【図７】
2007206446.tif 000009
【図８】
2007206446.tif 000010
【図９】
2007206446.tif 000011
【図１０】
2007206446.tif 000012
【図１１】
2007206446.tif 000013